(57)【特許請求の範囲】
【請求項１】
被洗浄物を収納する洗浄槽と、洗浄水を貯える洗浄槽内の底部に配置した送風孔を有する噴射ノズルと、噴射ノズルに空気を送り込む送風機と、洗浄水を機外に排出する排水経路と、洗浄水を排出する排水ポンプとを備え、洗浄水は前記噴射ノズルの送風孔が水没するように前記洗浄槽に供給され、洗浄時は、前記送風機によって加圧された空気が送風孔から被洗浄物に向かって上方へ噴射され、吹き飛ばされた洗浄水を水滴にして被洗浄物に噴射するとともに、乾燥時は、前記送風機によって加圧された空気を前記噴射ノズルから被洗浄物に噴出するようにした洗浄機。
【請求項２】
洗浄槽の空気を循環するよう洗浄槽と送風機と噴射ノズルとを接続して循環送風路を設けた請求項１記載の洗浄機。
【請求項３】
循環送風路の一端を、洗浄槽内に接続した第１の通風路および機外の空気を取り込む第２の通風路に分岐するとともに、前記第１の通風路と前記第２の通風路を切換える切換弁を設けた請求項２記載の洗浄機。
【請求項４】
排水ポンプは渦流型で形成するとともに、洗浄工程で前記排水ポンプを逆転させて駆動するようにした請求項１記載の洗浄機。
【請求項５】
少なくとも送風機、噴射ノズルまたは循環送風路のうち１つの内部にヒータを設けた請求項２または３項記載の洗浄機。
【発明の詳細な説明】
【０００１】
【発明の属する利用分野】
本発明は、食器洗い乾燥機を始めとする洗浄機に係わり、特に噴射ノズルから洗浄水または空気の噴射により洗浄または乾燥を行う洗浄乾燥機構に関するものである。
【０００２】
【従来の技術】
洗浄槽内に設置された被洗浄物に、噴射ノズルから洗浄水を噴射して、洗浄を行う洗浄機として例えば食器洗い乾燥機が挙げられる。以下に従来の食器洗い乾燥機について、図９に基づいて説明する。
【０００３】
食器の洗浄を行う場合には、食器を洗浄槽３１の食器かご３２に収納し、洗剤を投入して運転を開始する。運転が開始されると、まず所定量の洗浄水を洗浄槽３１に供給する給水工程が実行される。続いて、洗浄ポンプ３３によって加圧され且つヒータ３４によって加熱された洗浄水が洗剤と共に噴射ノズル３５から噴射される本洗工程が行われる。洗浄水は噴射ノズル３５の噴射孔３６ａ〜３６ｆから鉛直方向または斜め上方向に噴射される。また噴射ノズル３５はこの噴射反力によって略水平に回転する。したがって、洗浄水の多くは噴射ノズル３５の回転方向とは逆方向に傾斜して噴射されて、食器に衝突する。この洗浄水の衝突力・洗剤・熱等の作用によって、食器は洗浄されるものである。
【０００４】
所定時間の本洗工程を経ると、次に食器等から洗い落とされた汚れを含む洗浄水を排水ポンプ３７によって機外に排出する排水工程に入る。引き続いて、新たに洗浄水を供給する給水工程と、洗剤や残菜（食器に付着した汚れを残菜ともいう）で汚れた食器をすすぐために洗浄水を噴射ノズル３５から噴射するすすぎ工程と、前記排水工程とが連続して４回繰り返されて、洗浄工程を終了する。
【０００５】
続いて、送風機３８により洗浄槽３１内に機外より空気を送風ダクトから送風口４０を経て洗浄槽３１に送り込み、ヒータ３４を断続的に運転して温風を作り、この温風で食器に付着した水滴を蒸発させる乾燥工程が行われる。この乾燥工程で洗浄槽３１内の多湿な空気は排気口４１より機外に排出される。なお４２は、洗浄ポンプ３３・ヒータ３４等の運転を制御する制御装置である。また、４３は送風機３８に室内の空気を送り込む吸気口である。４４は洗浄水の給水経路を開閉する給水弁である。
【０００６】
【発明が解決しようとする課題】
前記従来の構成の食器洗い乾燥機を始めとして、一般にこのような洗浄機は、以下のような課題を有している。
【０００７】
洗浄工程で洗浄ノズル３５から所定の流量で洗浄水を噴射すると、洗浄水の水位は低下する。このとき洗浄ポンプ３３が洗浄水を安定して加圧するためには、洗浄水の水位が低下したときにも、洗浄ポンプ３３に空気を吸い込まないだけの多量の洗浄水をあらかじめ洗浄槽３１に貯留しておく必要がある。したがって洗浄工程で、所定の洗浄性能を得るために、この洗浄水を食器とともに所定の温度まで加熱するためのヒータ３４の容量は大きいものが必要となる。しかもその加熱に長時間を必要とするものであり、洗浄運転での使用水量と消費電力量と運転時間のかかるものである。
【０００８】
また、乾燥工程では洗浄槽３１の側面で固定された送風口４０から、略一定方向に送風されるために、洗浄槽３１内の食器に対して均一には送風できない。すなわち、食器かご３２の内部でもその位置によって、食器の乾燥性能にばらつきがある。したがって全体として所定の乾燥性能を得るためには、乾燥性能の低い部位に運転時間を合わせるものであり、結果として乾燥運転での運転時間が長いものである。
【０００９】
また特に、上述の洗浄工程や乾燥工程を実行するためには、洗浄ポンプ３３に加えて、排水ポンプ３７や送風機３８を必要としている。このように洗浄乾燥のための機構部を駆動するモータが３個必要であるので、部品点数が多くて構造が複雑である。しかもこれらの機構部が、このような従来の洗浄機の全体容積に占める割合が大きい。すなわち、食器を収納するための容積が小さいものであり、収納できる食器の大きさが限定されるものである。
【００１０】
本発明は、以上のような従来の構成が有している課題を解決するものである。特に、シンプルな洗浄乾燥機構でもって、所定の洗浄性能と乾燥性能を得ることができる洗浄機を提供することを目的としているものである。
【００１１】
【課題を解決するための手段】
本発明の洗浄機は、被洗浄物を収納する洗浄槽と、洗浄水を貯える洗浄槽内の底部に配置した送風孔を有する噴射ノズルと、噴射ノズルに空気を送り込む送風機と、洗浄水を機外に排出する排水経路と、洗浄水を排出する排水ポンプとを備え、洗浄水は前記噴射ノズルの送風孔が水没するように前記洗浄槽に供給され、洗浄時は、前記送風機によって加圧された空気が送風孔から被洗浄物に向かって上方へ噴射され、吹き飛ばされた洗浄水を水滴にして被洗浄物に噴射するとともに、乾燥時は、前記送風機によって加圧された空気を前記噴射ノズルから被洗浄物に噴出するようにしたものである。この発明によれば、単一の送風機で洗浄と乾燥を行うことができ、シンプルな洗浄乾燥機構で所定の洗浄性能と乾燥性能を得ることができる。
【００１２】
【発明の実施の形態】
本発明の請求項１記載の発明は、被洗浄物を収納する洗浄槽と、洗浄水を貯える洗浄槽内の底部に配置した送風孔を有する噴射ノズルと、噴射ノズルに空気を送り込む送風機と、洗浄水を機外に排出する排水経路と、洗浄水を排出する排水ポンプとを備え、洗浄水は前記噴射ノズルの送風孔が水没するように前記洗浄槽に供給され、洗浄時は、前記送風機によって加圧された空気が送風孔から被洗浄物に向かって上方へ噴射され、吹き飛ばされた洗浄水を水滴にして被洗浄物に噴射するとともに、乾燥時は、前記送風機によって加圧された空気を前記噴射ノズルから被洗浄物に噴出するようにしたものであり、この構成により洗浄工程では送風機により空気が噴射ノズルから噴出して、送風孔の近傍の洗浄水がこの高速の空気で加速されて、被洗浄物に噴射されてこれを洗浄する。また、排水経路から汚れた洗浄水を排出して、新たな洗浄水を被洗浄物に噴射することで、すすぐ作用を有するすすぎ工程を行う。さらに、乾燥工程では送風機を運転して空気を噴射ノズルから噴出することで、被洗浄物を乾燥する。このように単一の送風機で洗浄と乾燥を行うものであり、洗浄乾燥機構としてはシンプルなものである。
【００１３】
本発明の請求項２記載の発明は、請求項１記載の発明に加えて、洗浄槽の空気を循環するよう洗浄槽と送風機と噴射ノズルとを接続して循環送風路を設けたものであり、この構成により、洗浄工程では洗浄水を加速する空気は循環送風路を循環するとともに、繰り返して被洗浄物に噴射されるものである。このため、洗浄水が洗浄槽から機外に流出することなく、循環送風路と洗浄槽を空気とともに循環しており、少ない洗浄水で所定の洗浄作用をする。
【００１４】
本発明の請求項３記載の発明は、請求項２記載の発明に加えて、循環送風路の一端を、洗浄槽内に接続した第１の通風路および機外の空気を取り込む第２の通風路に分岐するとともに、前記第１の通風路と前記第２の通風路を切換える切換弁を設けたものであり、この構成により、洗浄工程では第１の通風路を開放して、第２の通風路を閉じることで、洗浄水を加速した空気は循環送風路を循環して、繰り返し被洗浄物に噴射される。このため、洗浄水が洗浄槽から機外に流出することなく、少ない洗浄水で所定の洗浄作用を有する。これに加えて、乾燥工程で切換弁を作動させて、第１の通風路を閉じて、第２の通風路を開放して、外気を洗浄槽に送り込み排気口から湿気を排出することで、洗浄水の付着した被洗浄物を乾燥する。
【００１５】
本発明の請求項４記載の発明は、請求項１記載の発明に加えて、排水ポンプは渦流型で形成するとともに、洗浄工程で前記排水ポンプを逆転させて駆動するようにしたものであり、洗浄工程中に排水ポンプが逆転すると、排水ポンプは洗浄水を排水経路から洗浄槽へと押し込む作用をする。このため、洗浄槽に空気が加圧されて送り込まれてその内圧が上昇しても、これに対抗して洗浄水を確実に洗浄槽内に密閉して機外への流出を抑制することができるので、より少ない洗浄水での洗浄作用を有する。
【００１６】
本発明の請求項５記載の発明は、請求項２または３に記載の発明に加えて、少なくとも送風機、噴射ノズルまたは循環送風路のうち１つの内部にヒータを設けたことであり、この構成により、ヒータで洗浄水や空気を適温に加熱することができる。すなわち、洗浄工程では空気を加熱することで、洗浄槽内の洗浄水や被洗浄物を加熱して洗浄力を高める。また、乾燥工程では空気を加熱することで、被洗浄物および付着した水滴を温風によって加熱して、水滴の蒸発を促進するので乾燥性能が高い。すなわち、所定の洗浄や乾燥が短時間で行える。
【００１７】
【実施例】
以下、この発明の実施例について、図面を参照しつつ説明する。
【００１８】
（実施例１）
図１において、１は洗浄槽、２は食器等の被洗浄物を収納する食器かごであって、洗浄槽１内に設けている。洗浄槽１の底部には、空気を噴出する送風孔３を有する噴射ノズル４が配置されている。噴射ノズル４は洗浄槽１の底部に固定されて、略円形であり、送風口３は複数個設けてある。５は機外の空気を加圧して噴射ノズル４から洗浄槽１に噴出する送風機で、高速回転するモータで駆動される遠心型インペラーを有している。６は空気を送風機６に取り込む吸気口、７は空気を洗浄槽１から排出する排気口である。８は洗浄水を機外に排出する排水経路、８ａは同排水経路８を開閉する弁体、８ｂは排水経路８の一端で洗浄水を取り込む排水口、９は洗浄槽１の底部で洗浄水の汚れを濾過する排水フィルターである。
【００１９】
次に動作を説明する。まず、食器等の被洗浄物を食器かご２に収納し、洗浄槽１の所定の位置に装着して、図示していないスイッチをオンしたとする。スイッチがオンされて運転を開始すると、先ず所定量の洗浄水を洗浄槽１に供給する給水工程を実行する。洗浄水は噴射ノズル４の送風孔３が水没するまで供給される。続いて、送風機５が運転されると、吸気口６から取り込まれて、送風機５によって加圧された空気が、送風孔３から食器かご２の被洗浄物に向かって上方に噴射される。
【００２０】
このとき図２に示すように、洗剤を含んだ洗浄水が、大流量の高速風によって吹き飛ばされて、水滴となって高速風とともに、被洗浄物に向かって噴射される。洗浄水は高速に被洗浄物に衝突して、衝突力と洗剤の分解力で被洗浄物の汚れを落とし、空気は排気口７から機外に排気される。ここで重量の軽い微細な汚れは空気とともに機外に排出されるが、その他の汚れは洗浄槽１の底部に落下する。こうして洗剤を用いた本洗工程が実行されるものである。
【００２１】
所定時間の本洗工程を経ると、次に排水経路８の弁体８ａを開放して、被洗浄物から洗い落とされた汚れを含む洗浄水を機外に排出する排水工程に入る。洗浄水中の汚れは、排水フィルター９に捕集される。引き続き、新たに洗浄水を供給する給水工程と、洗剤等で汚染した被洗浄物をすすぐために空気および洗浄水を噴射するすすぎ工程と、排水工程とが連続し、これらを４回繰り返して洗浄工程が終了する。
【００２２】
続いて、送風機５により洗浄槽１内に機外より空気を送り込み、被洗浄物に付着した水滴を吹き飛ばしたり蒸発させる乾燥工程が行われる。この乾燥工程で、弁体８ａを開放した状態で送風機５を運転するので、湿気は排気口７のみでなく、排水経路８にも排出されてその経路も乾燥する。したがって、洗浄機の各部に余分な洗浄水が残留することがなくて、常に清潔な洗浄機を提供できる。
【００２３】
以上のように送風機５と弁体８ａを有するシンプルな洗浄乾燥機構でもって、所定の洗浄性能と乾燥性能を得ることができるものである。また、洗浄乾燥機構はコンパクトであり、外寸が同じ大きさの洗浄機でも収納容積が大きいものである。
【００２４】
（実施例２）
機構部品の基本構成については、図１の構成と同様で説明を省略するが、図３において、前述の第１の手段に代えて、洗浄水を加圧して排水する排水ポンプ１０と、洗浄槽１と送風機５と噴射ノズル４を接続する循環送風路１１を設けている。１２は循環送風路１１が洗浄槽１に接続する吸気口であり、１３は吸気口１２に相対して設けたバッフル板である。
【００２５】
次に動作について説明する。洗浄工程に関する基本的な動作は、前記実施例１と同様であるので、特徴的な動作について述べる。
【００２６】
洗浄工程では、送風機５によって加圧した空気が送風孔３から被洗浄物に向かって噴射される。このとき洗浄槽の底部の洗浄水も高速風によって吹き飛ばされて、被洗浄物に向かって高速風とともに噴射される。洗浄水は被洗浄物に衝突して、汚れを落とすことは、前記実施例１と同様である。
【００２７】
しかしながら、洗浄槽と送風機と噴射ノズルを接続する循環送風路を設けるように構成してあるので、洗浄槽１内に噴射された空気や洗浄水は、送風機５の吸い込みにより吸気口１２へ案内される。また、洗浄水のうちで大きな水滴はバッフル板１３により吸気口１２への進入を阻止されて滴下する。バッフル板１３を屈曲しながら通過した洗浄水や空気は吸気口１２から循環送風路１１を通過して、送風機５により加圧されて噴射ノズル４から再び噴射される。したがって，洗浄水は洗浄工程で循環送風路１１を循環するので、機外に排出されることがほとんどない。こうして同一の洗浄水を循環しながら使用する洗浄方法が可能となる。すなわち少ない洗浄水で洗浄するという作用を有するものである。
【００２８】
また、排水経路に排水ポンプを設けているため、排水ポンプ１０の作用により効果的にすすげるものである。すなわち、排水ポンプ１０が洗浄水を加圧して排水する作用を有するので、排水工程で洗浄水中の細かな汚れも一定速度を有した排水の流れとともに確実に排出できる。
【００２９】
したがって、細かな汚れが洗浄槽やその底部に堆積したり残留してすすぎ工程で再循環するという現象がほとんど発生しないために、より効果的なすすぎが行われるものである。したがって、すすぐ回数やすすぎ工程の１回あたりの水量を少なくすることで、使用水量を大幅に削減した節水型の洗浄機が得られるものである。
【００３０】
（実施例３）
機構部品の基本構成については、図３の構成と同様で説明を省略するが、図４において、前述の実施例２の手段に代えて、洗浄槽１と送風機５と噴射ノズル４を接続する循環送風路１４を、洗浄槽１内に接続した第１の通風路１５および機外の空気を取り込む第２の通風路１６に分岐している。また、第１の通風路１５と第２の通風路１６の分岐部を開閉する切換弁１７を設けてある。さらに、１８は切換弁１７を所定角度だけ回転する弁駆動装置である。
【００３１】
次に動作について説明する。洗浄工程に関する基本的な動作は、前記実施例１と同様であるので、特徴的な動作について述べる。
【００３２】
まず、洗浄工程では、切換弁１７を弁駆動装置１８により回転して、第１の通風路１５を開放して、第２の通風路１６を閉じて送風機５が運転される。送風機５によって加圧した空気が送風孔３から被洗浄物に向かって噴射されて、このとき洗浄水もこの高速風によって吹き飛ばされて、被洗浄物に向かって噴射される。洗浄水や空気は第１の通風路１５から循環送風路１４を通過して、送風機５により加圧されて噴射ノズル４から噴射されて、繰り返し被洗浄物に衝突して、その汚れを落とす。したがって，洗浄水が洗浄工程で機外に排出されることがなく、少量の洗浄水で洗浄が可能となることは、前記実施例２と同様でもある。
【００３３】
さらに、この実施例３の乾燥工程では、切換弁１７を回転させて第１の通風路１５を閉じるとともに第２の通風路１６を開放して、送風機５が運転される。この乾燥工程では、第２の通風路１６から外気を取り込んで送風機５により、洗浄槽１に送風される。洗浄槽１の内部の多湿な空気は、排気口１９から強制的に排気される。
【００３４】
送風機５は、洗浄水を吹き飛ばすだけの能力を有しており、洗浄水のない乾燥工程では風量および風圧ともに余裕がある。すなわち、高速風が洗浄槽１内を通過して、被洗浄物に付着した水滴の水切りはもちろん、排気口１９から湿気を排出することで、短時間でもって乾燥することが可能となる。すなわち、節水に加えて、乾燥性能の優れた洗浄機である。
【００３５】
（実施例４）
機構部品の基本構成については、図１の構成と同様で説明を省略するが図５に示すように排水ポンプ２０を設けて、その排水ポンプ２０を図６のように渦流型で形成したものである。
【００３６】
洗浄工程では、送風機５によって加圧した空気が送風孔３から被洗浄物に向かって噴射される。このとき洗浄水も高速風によって吹き飛ばされて、被洗浄物に向かって噴射される。吸気口６から取り込み、送風機５によって加圧した空気が送風孔３から被洗浄物に向かって噴射される。このとき、洗浄水も高速風によって吹き飛ばされて、水滴となって被洗浄物に向かって噴射される。洗浄水は高速に被洗浄物に衝突して、汚れを落とし、空気は排気口７から機外に排気されることは、前記実施例１と同様である。
【００３７】
この洗浄工程で洗浄槽１の内部の空気圧が高まるので、底部の洗浄水を機外に排出する方向に押し出される。しかしながら、排水ポンプ２０を渦流型で形成するとともに、洗浄工程で排水ポンプ２０を逆転させて運転すると、渦流型の特長として、排水経路から洗浄水を引き込む方向に作用する。したがって、送風機５の送風能力を高めたときにも、機外に洗浄水が排水経路から流出することを抑制する作用がある。すなわち、本実施例では、送風機５の送風能力を拡大しても、安定して洗浄工程を実行できるので、より高い洗浄力が得られるものである。
【００３８】
なお、送風機５と排水ポンプ２０の２個のモータを１個のモータで構成することができるものであり、洗浄時のモータの回転方向と排水時の回転方向が逆であるように構成してあれば、同様の効果が得られるものである。
【００３９】
（実施例５）
機構部品の基本構成については、図１の構成と同様で説明を省略するが図７に示すように、噴射ノズル４の内部にヒータ２１を設けたものである。
【００４０】
ヒータ２１に通電することで、洗浄中は主として空気を加熱するが、洗浄槽１の内部でこの温風と洗浄水との間で熱交換が行われてこれを加熱する。すなわち、洗浄温度が高まって、その洗浄力が向上するものである。また、乾燥工程は空気を加熱して温風を生成して、被洗浄物に付着した水滴を蒸発するエネルギーを供給するので、より短時間で乾燥することができるものである。このようにヒータ２１は、洗浄水を加熱することで洗浄力を高めるとともに、乾燥工程で外気を加熱して温風を送風することで乾燥性能を向上することができるものであり、運転時間を短縮するものである。
【００４１】
なおこのヒータ２１は、送風機５や循環送風路１４の内部等、空気の経路に設けてあればよいものである。
【００４２】
また、従来の食器洗い乾燥機にくらべて、洗浄水の使用水量が少ないために、短時間で温度が上昇するものである。このことで洗浄力を高めて、運転時間を短縮することができたり、ヒータ２１の容量を小さくすることができるものである。
【００４３】
（実施例６）
機構部品の基本構成については、図４の構成と同様で説明を省略するが、図８においては、従来の洗浄機のような排気口や排水ポンプのない洗浄機である。
【００４４】
洗浄工程の動作は基本的には実施例３と同様である。次に排水のためには、切換弁１７を作動させて第１の通風路１５を閉じて、第２の通風路１６を開放する。送風機５を作動すると、第２の通風路から外気を取り込み、この空気を加圧して、洗浄槽１に送風する。すると、洗浄槽１内の空気圧が高まり、洗浄水は排水経路へと圧送される。排水経路は洗浄工程で洗浄槽１内で高まる内圧では排水されることのない高さまでいったん立ち上がり、立ち上がり部分８ｃを形成している。
【００４５】
第１の通風路１５を閉じて、第２の通風路１６を開放することで、加圧された空気で洗浄槽１の内圧が十分に上昇して洗浄水を排水経路から機外に排出できる。続く乾燥工程では、この状態を持続することで被洗浄物を乾燥することができる。このような構成で、少なくとも送風機または噴射ノズルまたは循環送風路のうち１つの内部にヒータを設けて温風を送風することで乾燥性能が向上することは言うまでもない。
【００４６】
また、この構成の排水工程で、送風機５の運転方法として、送風機５を排水工程の途中で停止することができるものである。
【００４７】
すなわち、洗浄水が排水経路の屈曲した立ち上がり部分８ｃまで圧送されてその先端側で自然に流下する状態になると、以降は送風機５を停止してもいわゆるサイホン効果で排水されるものである。従来の他の洗浄機のように、排水ポンプや切換弁等機構部の動作がない。そのため、静かで且つ残水の少ない排水を実現する。したがって、においやカビの発生のない、清潔な洗浄機となる。また、異物や汚れの堆積のない耐久性の高い洗浄機を提供できるものである。
【００４８】
上述のいくつかの実施例において、噴射ノズルは洗浄槽の底部で固定されたものであるが、従来の洗浄機と同様に回転するものであっても、良いことは言うまでもない。
【００４９】
【発明の効果】
この発明は、以上のように構成されているので、以下に記載されるような効果を有する。
【００５０】
本発明の請求項１記載の発明によれば、被洗浄物を収納する洗浄槽と、洗浄水を貯える洗浄槽内の底部に配置した送風孔を有する噴射ノズルと、噴射ノズルに空気を送り込む送風機と、洗浄水を機外に排出する排水経路と、洗浄水を排出する排水ポンプとを備え、洗浄水は前記噴射ノズルの送風孔が水没するように前記洗浄槽に供給され、洗浄時は、前記送風機によって加圧された空気が送風孔から被洗浄物に向かって上方へ噴射され、吹き飛ばされた洗浄水を水滴にして被洗浄物に噴射するとともに、乾燥時は、前記送風機によって加圧された空気を前記噴射ノズルから被洗浄物に噴出するようにしたから、単一の送風機で洗浄と乾燥を行うことができ、シンプルな洗浄乾燥機構を実現することができる。
【００５１】
本発明の請求項２記載の発明によれば、洗浄槽の空気を循環するよう洗浄槽と送風機と噴射ノズルを接続して循環送風路を設けたから、循環経路を循環して、繰り返し被洗浄物に噴射することができ、節水と省エネに優れた洗浄機を実現することができる。
【００５２】
本発明の請求項３記載の発明によれば、循環送風路の一端を、洗浄槽内に接続した第１の通風路および機外の空気を取り込む第２の通風路に分岐するとともに、前記第１の通風路と前記第２の通風路を切換える切換弁を設けたから、乾燥性能の優れた洗浄機を実現することができる。
【００５３】
本発明の請求項４記載の発明によれば、排水ポンプは渦流型で形成するとともに、洗浄工程で前記排水ポンプを逆転させて駆動するようにしたから、洗浄工程中の洗浄水を確実に洗浄槽内に密閉することができるので、より少ない洗浄水での洗浄することができる。
【００５４】
本発明の請求項５記載の発明によれば、少なくとも送風機、噴射ノズルまたは循環送風路のうち１つの内部にヒータを設けたから、洗浄水や空気を適温に加熱することができるので、洗浄や乾燥の性能が高い洗浄機を実現することができる。
【図面の簡単な説明】
【図１】  本発明の実施例１における洗浄機の要部構成図
【図２】  同洗浄機の洗浄工程を示す要部構成図
【図３】  本発明の実施例２における洗浄機の要部構成図
【図４】  本発明の実施例３における洗浄機の要部構成図
【図５】  本発明の実施例４における洗浄機の要部構成図
【図６】  同洗浄機の排水ポンプを示す要部構成図
【図７】  本発明の実施例５における洗浄機のヒータを示す要部構成図
【図８】  本発明の実施例６における洗浄機の要部構成図
【図９】  従来の食器洗い乾燥機の要部構成図
【符号の説明】
１  洗浄槽
２  食器かご
３  送風孔
４  噴射ノズル
５  送風機
８  排水経路
１０  排水ポンプ
１１  循環送風路
１２  吸気口
１３  バッフル板
１５  第１の通風路
１６  第２の通風路
１７  切換弁
２１  ヒータ
【図１】
0003799733.tif 000002
【図２】
0003799733.tif 000003
【図３】
0003799733.tif 000004
【図４】
0003799733.tif 000005
【図５】
0003799733.tif 000006
【図６】
0003799733.tif 000007
【図７】
0003799733.tif 000008
【図８】
0003799733.tif 000009
【図９】
0003799733.tif 000010